(57)【特許請求の範囲】
【請求項１】
栓体に形成した液通路下端の流出口を閉じる方向に付勢して該流出口を開閉可能に閉塞する弁体を備え、該弁体によって前記流出口を開放した状態で前記液通路上端の注口から容器本体内の液体を注ぎ出す液体容器の中栓において、
前記弁体を前記流出口の開放状態を越えて更に開放方向に移動させ、前記栓体の底部との間に隙間をあけた離反状態を保持する保持手段を設けたもので、
前記栓体の底部に前記弁体の軸部を挿通する貫通孔を設けるとともに該貫通孔の縁にガイド溝を設け、
前記保持手段として、前記弁体の軸部に、ある回動位置では前記ガイド溝にスライド可能に挿入し、他の回動位置では前記貫通孔の縁部下面に係止する凸部を設けたことを特徴とする液体容器の中栓。
【請求項２】
前記弁体の軸部を、弁本体の中心部から離れた偏心位置に設けたことを特徴とする請求項１に記載の液体容器の中栓。
【請求項３】
前記離反状態で、前記弁本体の端部が前記栓体の外周部より突出するようにしたことを特徴とする請求項２に記載の液体容器の中栓。
【発明の詳細な説明】
【０００１】
【発明の属する技術分野】
本発明は、液体容器の中栓に関するものである。
【０００２】
【従来の技術】
液体容器の中栓は、容器本体の上端開口に取り付ける栓体に液通路が形成され、該液通路下端の容器本体と連通する流出口を弁体によって開閉可能に閉塞するようにしたものが知られている。前記弁体は、スプリングによって前記流出口を閉じる方向に付勢されており、種々の移動機構によって開放方向に移動するようになっている。
【０００３】
この種の中栓としては、登録実用新案公報第３０４０７０８号で、前記栓体の液流路の対向部に下方に膨出した当接部を形成し、弁本体と軸部とからなる略Ｌ字形状の弁体を引き下げて液流路から離反させた状態で、１８０°水平回転させることによって、前記弁本体を当接部の下端に係止し、液流路を洗浄できるようにしたものが提供されている。
【０００４】
【発明が解決しようとする課題】
しかしながら、前記液体容器の中栓では、弁本体を当接部に係止させることによって、液流路内に付着した液体による水垢等を洗浄することはできるが、弁本体上面は洗浄することができないという不都合がある。また、この中栓では、弁本体を当接部に係止した状態でも容器本体に取り付けることができるため、使用者の誤使用で弁体を正規の位置に戻し忘れて取り付けると、容器本体が倒れることにより内部の液体が流出する恐れがあり、液体が熱湯である場合には、安全上、好ましくない。
【０００５】
そこで、本発明では、栓体と弁体の弁本体とを大きく離反させ、液流路と弁体を確実に洗浄できるようにすることを第１の課題とし、併せて、使用者の誤使用による液体の流出を防止することを第２の課題とするものである。
【０００６】
【課題を解決するための手段】
前記課題を解決するため、本発明の液体容器の中栓は、栓体に形成した液通路下端の流出口を閉じる方向に付勢して該流出口を開閉可能に閉塞する弁体を備え、該弁体によって前記流出口を開放した状態で前記液通路上端の注口から容器本体内の液体を注ぎ出す液体容器の中栓において、前記弁体を前記流出口の開放状態を越えて更に開放方向に移動させ、前記栓体の底部との間に隙間をあけた離反状態を保持する保持手段を設けたもので、前記栓体の底部に前記弁体の軸部を挿通する貫通孔を設けるとともに該貫通孔の縁にガイド溝を設け、前記保持手段として、前記弁体の軸部に、ある回動位置では前記ガイド溝にスライド可能に挿入し、他の回動位置では前記貫通孔の縁部下面に係止する凸部を設けたものである。
【０００８】
前記液体容器の中栓によれば、流出口の開放状態から更に開放方向に移動させ、栓体の底部との間に隙間をあけた状態を保持手段によって保持することができるため、第１の課題である液流路内および弁本体上面も確実に洗浄することができる。また、通常の開放操作時には、ガイド溝に凸部がガイドされることにより、回動不可の状態でスムーズに上下動することができる。
【０００９】
前記中栓は、前記弁体の軸部を、弁本体の中心部から離れた位置に設け、弁本体上面の開放面積が広くなるようにし、洗浄時に弁本体の上面も直接ブラシ等によって洗浄できるようにすることが好ましい。
【００１０】
また、前記離反状態で、前記弁本体の端部が前記栓体の外周部より突出するようにし、使用者が弁体を正規の位置に戻し忘れた状態で容器本体に取り付けようとすると、弁本体が容器本体の開口部に干渉することによって正規の位置に戻るようになるので、第２の課題である誤使用による開弁状態での中栓の取り付けを防止することができ、より好ましくなる。
【００１１】
【発明の実施の形態】
以下、本発明の実施の形態を図面に従って説明する。
図１から図３は、本発明の中栓１０を取り付けた液体容器１を示す。この液体容器１は、真空二重構造の内瓶３と外瓶４とからなる容器本体２を備え、この容器本体２の上部開口内に前記中栓１０を着脱可能に取り付けるとともに、上部にコップ兼用の蓋体４４を着脱可能に取り付けるようにしたものである。なお、この蓋体４４は、二色成形によって形成した周知のものであるため、ここでの詳細な説明は省略する。
【００１２】
前記中栓１０は、大略、栓体１１と、栓リング１９と、栓キャップ２１と、弁体２４と、フラップ３０と、スイッチ３９とからなる。
【００１３】
前記栓体１１は、前記容器本体２の開口部に装着されるもので、略有底筒状をなし、その内部前側（図１において左側）には、断面コ字形状の仕切壁１２によって囲繞された上下端開口の液通路１３が設けられている。また、この栓体１１の底部には、中心部から後側（図１において右側）に離れた位置に前記弁体２４の軸部２６を挿通する貫通孔１４が設けられている。この貫通孔１４の縁には、上方に突出する筒状のリブ１５が設けられるとともに、該リブ１５の内面に弁体２４を回動不可にガイドするガイド溝１６が貫通孔１４の縁から上方に設けられている。また、この栓体１１内には、後述するフラップ３０の回動軸３２を下側から位置決め支持する支持部１７が設けられている。この支持部１７の支持中心は、前記貫通孔１４の軸心と前後方向に一致するようにされ、後述するフラップ３０のカム部３６と弁体２４の軸部２６との接触部が回動軸３２の後側に位置するようにされている。さらに、栓体１１の下端部には、環状のパッキン１８が強制嵌め等の周知の取付構造によって取り付けられている。
【００１４】
前記栓リング１９は、前記栓体１１より大径の筒状をなし、栓体１１の外側に配置され、その上端を前記栓体１１の上端に強制嵌め等の周知の取付構造によって取り付けることにより、該栓体１１とともに容器本体２の上部に装着するものである。この栓リング１９は、内周部に前記容器本体２に螺締めして取り付けるネジ部２０を備えている。
【００１５】
前記栓キャップ２１は、前記栓体１１の上端に嵌合させて取り付けるもので、前記栓体１１に形成した液通路１３の上端の前側（注口１３ｂ側）から径方向にかけて切り欠きが形成されるとともに、スイッチ３９を水平方向にスライド可能に取り付ける溝２２が形成されている。また、前記栓体１１の支持部１７と対向する位置には、フラップ３０の回動軸３２の上部を位置決めする支持用凹部２３が設けられている。
【００１６】
前記弁体２４は、前記栓体１１に取り付けたパッキン１８に圧接することによって前記液通路１３の下端の流出口１３ａを閉塞するもので、略円錐筒形状の弁本体２５と、前記貫通孔１４と対応するように偏心した位置に設けた軸部２６とを備えている。そのため、この弁体２４は、中栓１０を組み立てた状態で、軸部２６を中心として１８０°回動させると、図３（Ｂ）に示すように、前記弁本体２５の端部が栓体１１の外周部より突出するようになる。前記軸部２６の下部には、前記ガイド溝１６内にスライド可能に挿入する凸部２７が設けられている。この凸部２７は、中栓１０を洗浄する際に、弁本体２５と前記栓体１１の底部との間に所定間隔の隙間Ｓをあけた状態に保持する保持手段の役割をなす。また、軸部２６には、スプリング２９の上部を受ける内筒２８が取り付けられ、該内筒２８と前記栓体１１との間にスプリング２９を装着することによって、弁本体２５を前記パッキン１８に圧接させる閉じ方向に付勢するようにされている。
【００１７】
前記フラップ３０は、基板部３１の両側に前記支持部１７および支持用凹部２３によって回動可能に位置決めされる回動軸３２を備えている。前記基板部３１の先端には、前記栓体１１の液通路１３の上端の注口１３ｂを閉塞するために、略Ｌ字形状に突出する注口閉塞部３３が設けられている。また、基板部３１には、後述するスイッチ３９との係合部として係合板３４が設けられている。なお、図１中、３５は補強リブである。さらに、基板部３１の下部には、前記弁体２４の軸部２６を下向きに押圧する板状のカム部３６が設けられるとともに、該カム部３６の両側に軸部２６の上端両側に位置するガイド板３７が設けられている。前記カム部３６には、回動状態で下部に位置する図中右側部に、軸部２６の上端と係止する切欠部３６ａが設けられている。なお、図中、３８は、注口閉塞部３３と注口１３ｂの間から液通路１３内に残留した液体が漏出するのを防止するためのシール部材である。
【００１８】
前記スイッチ３９は、前記栓キャップ２１の溝２２にスライド可能に取り付けることによって、前記フラップ３０を回動軸３２を支点として回動させ、前記注口１３ｂを開閉操作するものである。具体的には、このスイッチ３９は、指挿入凹部４１と指引掛凸部４２とを有する基板部４０を備えている。そして、この基板部４０には、先端部４０ａから鉤状の引掛部４３が突設され、この引掛部４３と先端部４０ａとの間に所定の遊びをもって前記フラップ３０の係合板３４を係合するようにしている。
【００１９】
前記中栓１０を適用した液体容器１を使用し、容器本体２内の液体を注出する時には、蓋体４４を取り外した状態で、スイッチ３９を中栓側方（図１中右側）へスライドさせることにより、該スイッチ３９と係合させたフラップ３０が回動軸３２を支点として回動する。これにより、液通路１３の上端の注口１３ｂが開放される。また、フラップ３０に設けたカム部３６が弁体２４の軸部を押圧することにより、該弁体２４は、スプリング２９のバネ力に抗しながら、凸部２７と栓体１１のガイド溝１６との係合により、軸部２６を中心として周方向に回転することなく、軸方向に移動する。その結果、図２に示すように、流出口１３ａから弁本体２５が所定間隔をもって離反し、流出孔１３ａが開放状態となって容器本体２内の液体が注出可能な状態になる。
【００２０】
この開放状態では、前記フラップ３０の注口閉塞部３３は、液通路１３の仕切壁１２の延長線Ｌより略後側に位置する。そのため、容器本体２を傾けて内部の液体を注ぎ出す際には、流れ出る液体が前記注口閉塞部３３に触れること無く、コップ兼用の蓋体４４等の小さな開口面積であっても、スムーズに液体を注ぐことができる。
【００２１】
一方、この開放状態から液通路１３の流出口１３ａおよび注口１３ｂを閉塞する際には、図２に示すように、栓リング１９の外周部から突出したスイッチ３９の端部を押し込み、該スイッチ３９を前記と逆向きにスライドさせることにより、フラップ３０を前記と逆方向に回動させる。これにより、前記カム部３６と弁体２４の軸部２６との係止状態が解除され、弁体２４がスプリング２９のバネ力によって流出口１３ａを閉じる方向に移動して、該流出口１３ａを閉塞する。また、弁体２４の移動により、軸部２６がフラップ３０のカム部３６を押圧し、注口１３ｂを閉じる方向にフラップ３０を回動させて該注口１３ｂを閉塞する。
【００２２】
そして、蓋体４４を容器本体２の上部に取り付ける。
なお、前記スイッチ３９を操作することによる液通路１３の流出口１３ａおよび注口１３ｂの閉塞操作を行わずに、容器本体２の上部に蓋体４４を装着しようとした場合には、蓋体４４の内面が突出したスイッチ３９に干渉して閉じ方向に押圧することにより、前記と同様に、前記カム部３６の切欠部３６ａと弁体２４の軸部２６との係止状態が解除され、同様に閉塞状態になる。
【００２３】
この閉塞状態では、弁体２４の軸部２６の先端がフラップ３０のカム部３６に、隙間無しから前記流出口１３ａの閉塞状態に支障のない程度に係合している。その結果、注口１３ｂに対してフラップ３０の注口閉塞部３３は、略接触している状態から軽く圧接する程度で係合し、液通路１３内に付着等で残留した液体が注口１３ｂから漏出するのを防止することができる。
【００２４】
前記容器本体２から中栓１０を取り外し、該中栓１０を洗浄する際には、まず、一方の手で栓体１１を保持し、他方の手で前記弁体２４の弁本体２５を把持し、栓体１１に形成した液通路１３の流出口１３ａを開放する方向に引き下げる。なお、この際には、スイッチ３９を操作してフラップ３０を開放状態としてから、弁体２４を引き下げてもよい。
【００２５】
そして、図２に示す流出口１３ａの通常開放状態を越え、更に、図３（Ａ）に示すように、栓体１１に形成したガイド溝１６から弁体２４に形成した凸部２７が離反した状態で、図３（Ｂ）に示すように、弁体２４を軸部２６を中心として１８０°回転させ、凸部２７の上端部を貫通孔１４の縁部下面に係止させる。なお、弁本体２５と前記栓体１１の底部との間に所定間隔の隙間Ｓをあけた状態に保持するには、凸部２７をガイド溝１６から外すだけで可能であるが、洗浄するには、前記のように１８０°回転させるのが好ましい。
【００２６】
これにより、前記スプリング２９のバネ力によって前記凸部２７と栓体１１の貫通孔１４の縁とが圧接されることにより、この栓体１１の底部と弁体２４の弁本体２５とが離反した状態を保持することができる。
【００２７】
この離反状態では、栓体１１と弁体２４との間に大きな隙間が形成されるとともに、弁本体２５の端部が栓体１１の外周部から突出しているため、弁本体２５の上面の開放面積が広い。また、この突出した端部と対向する側が液通路１３となるため、この液通路１３下端の流出口１３ａは広く開放された状態になる。さらに、フラップ３０は、弁体２４がスプリング２９のバネ力に抗して開放する方向に移動しているため、自由に開放可能な状態になる。
【００２８】
その結果、使用者は、フラップ３０の注口閉塞部３３を開放して注口１３ｂから、または、広く開放された前記流出口１３ａから液通路１３内の洗浄を作業性よく行うことができる。また、弁体２４の弁本体２５上面も開放された状態になっているため、直接ブラシ等によって洗浄することができる。
【００２９】
洗浄が終了すると、再び、弁体２４を軸部２６を中心として１８０°回転させることにより、凸部２７が栓体１１のガイド溝１６に一致すると、スプリング２９のバネ力によって、ガイド溝１６に凸部２７がガイドされながら、弁体２４が回動不可に上昇して正規の位置に戻る。そして、前記洗浄後、あるいは、液体容器１を次に使用する時に、中栓１０を容器本体２の開口に被せ、栓リング１９のネジ部２０によって容器本体２に螺締して取り付ける。
【００３０】
一方、使用者が前記のように弁体２４を正規の位置に戻さずに、図３（Ｂ）の状態のままで容器本体２に取り付けようとした場合には、前記弁体２４の弁本体２５の突出した端部が容器本体２の開口部内面に干渉する。そして、この状態から、更に使用者が螺締して栓体１１を容器本体２に取り付けると、前記とは逆に、弁体２４の軸部２６を中心として栓体１１が回転することになり、その結果、前記と同様に、栓体１１のガイド溝１６と弁体２４の凸部２７が一致した時に、スプリング２９のバネ力によって弁体２４が正規の位置に戻る。
【００３１】
なお、本発明の実施形態は前記構成に限定されるものではない。
例えば、前記実施形態では、弁体２４の軸部２６を弁本体２５に対して偏心した位置に設けたが、中心位置に設けてもよく、このようにしても、前記と同様に、充分な洗浄を行うことができる。
【００３２】
【発明の効果】
以上の説明から明らかなように、本発明の液体容器の中栓では、洗浄する時には、弁体の弁本体と栓体の底部とを大きく離反した状態で保持することができるため、容易かつ確実に液通路および弁体の弁本体の上面を洗浄することができる。なお、使用者が誤使用によって洗浄後に弁体を正規の位置に戻し忘れても、該中栓を容器本体に取り付ける時に、正規の位置に戻るようにすると、内部の液体が流出するのを未然かつ確実に防ぐことができるため、安全上、好ましくなる。
【図面の簡単な説明】
【図１】  本発明の中栓を取り付けた液体容器を示す断面図である。
【図２】  中栓を開放した状態を示す断面図である。
【図３】  （Ａ），（Ｂ）は弁体を離反する状態を示す断面図である。
【符号の説明】
１…液体容器、２…容器本体、１０…中栓、１１…栓体、１３…液通路、１３ａ…流出口、１３ｂ…注口、１４…貫通孔、１５…リブ、１６…ガイド溝、１８…パッキン、１９…栓リング、２１…栓キャップ、２４…弁体、２５…弁本体、２６…軸部、２７…凸部、２９…スプリング、３０…フラップ、３９…スイッチ、４４…蓋体。
【図１】
0003638212.tif 000002
【図２】
0003638212.tif 000003
【図３】
0003638212.tif 000004